(57)【要約】【課題】商品を入れた袋を容易に手提げ袋に出来、従来の定番であった紙箱ではない、意外性を備えた簡易手提げ袋を提供する。【解決手段】上面が開口し、ある程度張り又はこしのある両側面を備えた袋状物Ｂを設け、当該袋状物Ｂを、両端に把手部を有する帯状体Ｃの略中央に略直交させて載置し、当該帯状体Ｃの両端を前記袋状物Ｂの両側面１に沿って夫々上方に折り上げて当該両側面１を挟み、当該袋状物Ｂの開口の上方で、当該帯状体Ｃの一端の把手部の基部に設けた係止部４ｂと他端の把手部の基部に設けた被係止部５ａを係止させ、前記袋状物Ｂを挟持して前記把手部を把持する。【選択図】図１
0003164112.tif 000002
【実用新案登録請求の範囲】
【請求項１】
上面が開口し、ある程度張り又はこしのある両側面を備えた袋状物を設け、当該袋状物を、両端に把手部を有する帯状体の略中央に略直交させて載置し、当該帯状体の両端を前記袋状物の両側面に沿って夫々上方に折り上げて当該両側面を挟み、当該袋状物の開口の上方で、当該帯状体の一端の把手部の基部に設けた係止部と他端の把手部の基部に設けた被係止部を係止させ、前記袋状物を挟持して前記把手部を把持することを特徴とした、簡易手提げ袋。
【請求項２】
前記係止部は帯状体の一端の把手部の基部に設けた折り込み片であり、被係止部は他端の把手部の基部に設けた切り込みであることを特徴とする請求項１に記載の簡易手提げ袋。
【請求項３】
前記把手部を有する帯状体は紙製であることを特徴とする、前記請求項１又は２に記載の簡易手提げ袋。
【請求項４】
前記袋状物は、略透明なフィルムから成ることを特徴とする、前記請求項１、２又は３の何れかに記載の簡易手提げ袋。
【請求項５】
前記袋状物は、内側に板体を入れて底面を形成し易くしたことを特徴とする、前記請求項１、２、３又は４の何れかに記載の簡易手提げ袋。
【考案の詳細な説明】
【技術分野】
【０００１】
この考案は、洋菓子店等において、商品を入れて持ち帰る際等に使用する簡易手提げ袋に関するものである。
【背景技術】
【０００２】
従来、洋菓子店において、洋菓子を販売する際、持ち運びには紙箱、ポリ袋又は紙袋等が使用されている。この様なものとして、例えば、紙箱として、上面に把手の付いたものがある。例えば、特許文献１に示すものは、箱の上面開口部の一方の相対する上縁から折曲自在な開閉天板を水平に夫々設け、これらの各開閉天板の先端に起立型の把手片を設け、これらの把手片を起立させて重ね合わせて各把手片の両側に設けた係止片に、上記箱の開口部の他方の相対する上縁に設けた被係止片の長孔に嵌入してなる組立て紙箱と言うものがある。
【特許文献１】特開平７−２７７３２１号公報
【考案の開示】
【考案が解決しようとする課題】
【０００３】
しかしながら、前記紙箱等の市場は成熟したもので、新しい提案的なものは生まれ難いと言うのが実情でした。そこで、箱と袋の利点を合わせたものが出来れば、新たな需要を喚起出来る可能性が有ると考えられる。また、前記紙箱よりも簡単で、例えば、商品を入れた袋が容易に手提げ袋になると便利である。加えて、品物を持ち運ぶのに、紙箱らしくない、意外性を備えた紙箱又は袋に人気が生まれることもある。一方、菓子店においても、この様なものがあれば、売り上げの増加にもつながり、求められるものである。
【０００４】
この考案は、この様な状況に鑑みて行われたもので、商品を入れた袋を容易に手提げ袋に出来、従来の紙箱ではない、意外性を備えた簡易手提げ袋を提供して前記課題を解決するものである。
【課題を解決するための手段】
【０００５】
請求項１の考案は、上面が開口し、ある程度張り又はこしのある両側面を備えた袋状物を設け、当該袋状物を、両端に把手部を有する帯状体の略中央に略直交させて載置し、当該帯状体の両端を前記袋状物の両側面に沿って夫々上方に折り上げて当該両側面を挟み、当該袋状物の開口の上方で、当該帯状体の一端の把手部の基部に設けた係止部と他端の把手部の基部に設けた被係止部を係止させ、前記袋状物を挟持して前記把手部を把持する簡易手提げ袋とした。
【０００６】
請求項２の考案は、前記係止部は帯状体の一端の把手部の基部に設けた折り込み片であり、被係止部は他端の把手部の基部に設けた切り込みである請求項１に記載の簡易手提げ袋とした。また、請求項３の考案は、前記把手部を有する帯状体は紙製である前記請求項１又は２に記載の簡易手提げ袋とした。
【０００７】
請求項４の考案は、前記袋状物は、略透明なフィルムから成る前記請求項１、２又は３の何れかに記載の簡易手提げ袋とした。また、請求項５の考案は、前記袋状物は、内側に板体を入れて底面を形成し易くした前記請求項１、２、３又は４の何れかに記載の簡易手提げ袋とした。
【考案の効果】
【０００８】
請求項１の考案によれば、袋状物を、両端に把手部を有する帯状体で下から挟み込んで挟持するだけで、商品を入れた袋を容易に手提げ袋に出来、便利である。また、把手部付の帯状体で袋状物を挟持して係止部を被係止部で係止すると袋状物の開口部中央が押さえられ、袋状物に入れた品物がむやみに飛び出ることがない。また、この考案では使用する袋状物の大きさは把手部を有する帯状体で挟持出来る大きさのもので有れば良く、種々のサイズのものが適用出来る。また、単に、袋物ではなく、意外性も有り、且つおしゃれでもあり、顧客の購買力を刺激して売り上げの増加にもつながるものである。
【０００９】
請求項２の考案によれば、前記係止部は帯状体の一端の把手部の基部に設けた折り込み片であり、被係止部は他端の把手部の基部に設けた切り込みであるので、簡単な構成でありながら、確実に係止することが出来、前記袋状物をしっかりと挟持することが出来、落下し難く、品物を安心して持ち運びが出来るものである。
【００１０】
請求項３の考案によれば、前記把手部を有する帯状体は紙製としたので、また、請求項４の考案によれば、袋状物はフィルムから成るものとしたので、安価で加工もし易く、処分も容易であり、簡易手提げ袋として使い勝手の良いものである。
【００１１】
また、請求項４の考案によれば、前記袋状物は、略透明なフィルムとしたので、中に入れたものが見え、夏の季節向きであり、一層、涼しげな感じを与えるものであり、顧客の購買力を刺激するものである。
【００１２】
また、請求項５の考案によれば、前記袋状物は、内側に板体を入れて底面を形成し易くしたので、袋状物として安定感も増し、把手部付帯状体で把持し易く成り、商品を入れて持ち運ぶものとして信頼性もアップし、より使い勝手の良いものである。
【考案を実施するための最良の形態】
【００１３】
上面が開口し、ある程度張り又はこしのある両側面を備えた袋状物を設け、当該袋状物を、両端に把手部を有する帯状体の略中央に略直交させて載置し、当該帯状体の両端を前記袋状物の両側面に沿って夫々上方に折り上げて当該両側面を挟み、当該袋状物の開口の上方で、当該帯状体の一端の把手部の基部に設けた係止部と他端の把手部の基部に設けた被係止部を係止させ、前記袋状物を挟持して前記把手部を把持する。
【００１４】
これにより、袋状物を、両端に把手部を有する帯状体で下から挟み込んで挟持するだけで、商品を入れた袋を容易に手提げ袋に出来、便利である。
【実施例】
【００１５】
以下、この考案の実施例の簡易手提げ袋を図に基づいて説明する。図１は、この考案の実施例の簡易手提げ袋を示す斜視図である。図２は、この考案の実施例の簡易手提げ袋の袋状物の斜視図である。図３は、この考案の実施例の簡易手提げ袋の把手部付帯状体の展開図である。
【００１６】
この実施例の簡易手提げ袋Ａは、袋状物Ｂと把手部を有する帯状体Ｃ（以下、「把手部付帯状体Ｃ」と言う）から成る。袋状物Ｂは、図２に示す様に、一定の張り又はこしを有する両側面１を備えた透明なフィルムから成り、上面が開口２となっており、さらに、底面にはいわゆるまちが設けられて一定面積を有するようになっている。また、この袋状物Ｂの内側の底部には、略長方形状の紙製の板体３を入れて底面を形成し易いようにしている。さらに、この袋状物Ｂは横長の袋状物となっている。
【００１７】
把手部付帯状体Ｃは、図３に示す様に、一定幅を有する紙製であり、一端及び他端の各把手部の各基部には略半環状に切り込み４を夫々設け、他端にはこの切り込みの近くに緩やかな円弧状に切り込み５を設け、この切り込み５の中央から、前記切り込み４に向けて垂直な短い切り込み６を設けている。これらの切り込み５、６によって、後述する被係止部５ａを形成している。また、この把手部付帯状体Ｃの真中の部位を中心にして、対称に、一端が円形状で、他端が角型の略長方形状の開口７を夫々設けている。この把手部付帯状体Ｃを後述するように、両端を、略Ｕ字型に折り上げて使用する。
【００１８】
次に、この実施例の簡易手提げ袋Ａの使用の仕方を説明する。まず、前記袋状物Ｂの内側に入れた長方形状の紙製の板体３の上に個別包装された菓子Ｄを３個中に入れて載置する。その後、この袋状物Ｂの上面の開口２を閉じ、この閉じた部分をそのまま幾分か折り込んでも良いし、折り込まずそのままにしても良い（図１では折り込まずそのままの状態を示す）。
【００１９】
その後、前記袋状物Ｂを、広げた状態の前記把手部付帯状体Ｃの真中に直交させて載置し、この把手部付帯状体Ｃの両端を前記袋状物Ｂの両側面１に沿って、夫々折り目８によって上方に折り上げて、この把手部付帯状体Ｃを略Ｕ字型にして当該両側面１を挟持する。そして、この袋状物Ｂの開口２の上方で、この把手部付帯状体Ｃの両端に設けた各切り込み４で囲まれた部分を折り目４ａで夫々内側に折り込み、これらの折り込み片を係止部４ｂとし、一方の係止部４ｂを他端の前記折り込み片を折り込んで形成された開口４ｃの中に折り込んでこれらを重ねる。この時、他方の折り込み片から成る係止部４ｂは一方の把手部の内側に当接した状態となる。さらに、係止部４ｂの先端を被係止部５ａに差し入れて係止して前記袋状物Ｂを挟持する。これにより、重ねられた前記開口４ｃは把手部となり、この把手部に指（又は手）を入れてこの袋状物Ｂを把持することが出来る簡易手提げ袋が形成される。
【００２０】
この様に、この考案では袋状物Ｂが容易に手提げ袋となり、袋状物Ｂを手で下げることが出来る。また、把手部付帯状体Ｃで袋状物Ｂを挟持して係止部４ｂを被係止部５ａで係止すると袋状物Ｂの開口２の中央が押さえられ、袋状物Ｂに入れた品物がむやみに飛び出ることがない。また、袋状物Ｂはその開口２を折り畳むことが出来るものであり、把手部付帯状体Ｃの係止部４ｂ及び被係止部５ａで係止出来るものであれば、大きさは問わない。特に、横幅は把手部付帯状体Ｃとほぼ同じ大きさから、把手部付帯状体Ｃの両側の左右に大きく突出しているものでも良い。
【００２１】
前記実施例では、簡易手提げ袋Ａの袋状物Ｂの中に菓子Ｄを入れているが、この簡易手提げ袋Ａの袋状物Ｂの中に入れるのはもちろん菓子Ｄに限らず、食品に限らず、中に入れられるものなら何でも良い。
【００２２】
また、袋状物Ｂとして具体的に説明しているが、袋状物としては、本願発明の構成を満足するものであればもちろん他のものでも良く、透明なフィルムから成るとしているが、透明なフィルムに限らず、例えば紙製でも良い。
【００２３】
また、把手部付帯状体Ｃとして具体的に記載しているが、係止部４ｂや被係止部５ａはこれらのものに限らず、別途、他の部材、例えばプラスチックなどから形成しても良い。さらに、開口７についても、このものに限らず、また、この開口７は無くても良い。また、板体３は無くても良い。
【図面の簡単な説明】
【００２４】
【図１】この考案の実施例の簡易手提げ袋を示す斜視図である。
【図２】この考案の実施例の簡易手提げ袋の袋状物の斜視図である。
【図３】この考案の実施例の簡易手提げ袋の把手部付帯状体の展開図である。
【符号の説明】
【００２５】
Ａ    簡易手提げ袋            Ｂ    袋状物
Ｃ    把手部付帯状体          Ｄ    菓子
１    側面                    ２    開口
３    板体                    ４    切り込み
４ａ  折り目                  ４ｂ  係止部
４ｃ  開口                    ５    切り込み
５ａ  被係止部                ６    切り込み
７    開口                    ８    折り目
【図１】
0003164112.tif 000003
【図２】
0003164112.tif 000004
【図３】
0003164112.tif 000005